(57)【要約】【課題】非常に狭い作業スペースでも容易に使用することができ、作業台の高さ調節や取付けが容易で、簡易構造の安価な、作業台に用いることができる組立体を提供すること。【解決手段】第１部材は、作業台を設置するための設置面等として使用することができる基体と、基体から延出した挿入棒と、挿入棒の所定位置に取り外し可能に取り付けることができる留め具を有する。第２部材の本体は、挿入棒が挿入される挿入空間と、挿入空間に挿入された挿入棒に対して留め具の一部による外部アクセスを可能とするスリットと、紐状体を取り付けることができる取付部を有する。挿入棒は留め具によって本体に対して固定することができ、留め具の少なくとも他の一部は、取付部に取り付けられた紐状体を留め具の少なくとも他の一部に取り付けることができるように、本体の外壁に露出させた状態で設けられている。紐状体は、取付部と、留め具の他の一部とに取り付られる。【選択図】図１
2020110889.tif 000002
【特許請求の範囲】
【請求項１】
第１部材と第２部材を含み、
前記第１部材は、
一方の面を作業台として又は作業台を設置するための設置面として使用することができる基体と、
前記基体から離れる方向に前記基体の一方の面とは反対側の他方の面から延出した挿入棒と、
前記挿入棒の延出方向に沿う方向と交差する交差方向において前記挿入棒の所定位置に取り外し可能に取り付けることができる留め具と、
を有し、
前記第２部材の本体は、
前記挿入棒が挿入される挿入空間と、
前記挿入空間に挿入された前記挿入棒に対して前記留め具の一部による外部アクセスを可能とするように、前記交差方向にて前記挿入空間と連通させた状態で前記本体の外壁に前記延出方向に沿って形成されたスリットと、
前記本体の外壁の前記延出方向に沿う方向において前記挿入棒の挿入側に設けた、紐状体を取り付けることができる取付部と、
を有し、
前記第２部材の前記挿入空間に挿入された前記第１部材の前記挿入棒は、前記スリットを通じて前記挿入棒の所定位置に取り付けられた前記留め具によって前記本体に対して固定することができるようになっており、
前記本体に対して固定された前記留め具の少なくとも他の一部は、前記取付部に取り付けられた前記紐状体を当該留め具の少なくとも他の一部に取り付けることができるように、前記本体の外壁に露出させた状態で設けられており、
前記紐状体は、前記取付部と、前記留め具の少なくとも他の一部とに取り付られることを特徴とする組立体。
【請求項２】
前記取付部は、前記延出方向に沿う方向において、前記挿入棒の挿入側における前記スリットの一端と略同じ位置か、又は、該一端よりも前記挿入棒の挿入側に近い位置に設けられている、請求項１に記載の組立体。
【発明の詳細な説明】
【技術分野】
【０００１】
本発明は、作業台に用いることができる組立体に関する。
【背景技術】
【０００２】
従来の作業台の一例として、非特許文献１（ＵＲＬ）に示された作業者に作業台を直接装着するタイプのものがある。作業台には、バックパックのショルダー帯のような背負い部材が設けられており、これを肩に引っ掛けることによって、作業者は作業台を胸元にて支持した状態で使用することができる。この場合、作業台が作業者に直接装着されるため、このタイプの作業台によれば、作業者の動きに応じて作業台が動き、従って、作業者は自由に向きを変えて作業を継続することができる。また、作業台が常に作業者の胸元に位置づけられているため、例えば、小型のコネクタ部品等を扱う場合であっても、作業者は容易に必要な部品を得ることができる。
【０００３】
ところで、作業者が作業を行う場所は、必ずしも十分なスペースを有しているとは限らない。例えば、高所作業車に取り付けられた昇降可能なゴンドラ等で作業を行わなければならないこともあるが、このような十分なスペースを有しない狭い空間でショルダータイプの作業台を使用した場合には、例えば、作業者がゴンドラ内で向きを変えたとき等に、作業台をゴンドラに衝突させてしまい、作業台から部品等を落下させてしまう危険がある。
【０００４】
この問題を解決するため、ゴンドラ等に作業台を直接装着することも考えられるが、この場合には、作業台の高さ調節や取付けが煩雑になり、また、構造が複雑で製品コストが高くなってしまうといった新たな問題が生じてしまう。
【先行技術文献】
【非特許文献】
【０００５】
【非特許文献１】ＵＲＬ：  https://www.nttrec.co.jp/product/category010107/11128800
【発明の概要】
【発明が解決しようとする課題】
【０００６】
本発明は上述した従来技術における問題点を解決するためになされたものであり、ゴンドラのような非常に狭いスペースでも容易に使用することができ、作業台の高さ調節や取付けが容易で、簡易構造の安価な、作業台に用いることができる組立体を提供することにある。
【課題を解決するための手段】
【０００７】
上記の課題を解決するため、本発明の一態様による組立体は、第１部材と第２部材を含み、前記第１部材は、一方の面を作業台として又は作業台を設置するための設置面として使用することができる基体と、前記基体から離れる方向に前記基体の一方の面とは反対側の他方の面から延出した挿入棒と、前記挿入棒の延出方向に沿う方向と交差する交差方向において前記挿入棒の所定位置に取り外し可能に取り付けることができる留め具と、を有し、前記第２部材の本体は、前記挿入棒が挿入される挿入空間と、前記挿入空間に挿入された前記挿入棒に対して前記留め具の一部による外部アクセスを可能とするように、前記交差方向にて前記挿入空間と連通させた状態で前記本体の外壁に前記延出方向に沿って形成されたスリットと、前記本体の外壁の前記延出方向に沿う方向において前記挿入棒の挿入側に設けた、紐状体を取り付けることができる取付部と、を有し、前記第２部材の前記挿入空間に挿入された前記第１部材の前記挿入棒は、前記スリットを通じて前記挿入棒の所定位置に取り付けられた前記留め具によって前記本体に対して固定することができるようになっており、前記本体に対して固定された前記留め具の少なくとも他の一部は、前記取付部に取り付けられた前記紐状体を当該留め具の少なくとも他の一部に取り付けることができるように、前記本体の外壁に露出させた状態で設けられており、前記紐状体は、前記取付部と、前記留め具の少なくとも他の一部とに取り付られる組立体を特徴として有する。
この態様の組立体によれば、狭いスペースでも作業台の高さ調整を比較的容易に且つ確実に行うことができる。また、そのような装置を、簡易な構造で、安価に提供することができる。
【０００８】
上記態様の組立体において、前記取付部は、前記延出方向に沿う方向において、前記挿入棒の挿入側における前記スリットの一端と略同じ位置か、又は、該一端よりも前記挿入棒の挿入側に近い位置に設けられているのが好ましい。
【発明の効果】
【０００９】
本発明によれば、ゴンドラのような非常に狭いスペースでも容易に使用することができ、作業台の高さ調節や取付けが容易で、簡易構造の安価な、作業台に用いることができる組立体を提供することができる。
【図面の簡単な説明】
【００１０】
【図１】本発明の一実施形態による組立体の斜視図である。
【図２】本発明の一実施形態による組立体の分解斜視図である。
【図３】組立体を取り付けることができる取付け対象の一例を示す図である。
【図４】組立体の使用方法を説明する図である。
【図５】組立体の使用方法を説明する図である。
【図６】組立体の使用方法を説明する図である。
【図７】組立体の使用方法を説明する図である。
【発明を実施するための形態】
【００１１】
以下、添付図面を参照しつつ、本発明の一つの好適な実施形態による組立体について説明する。説明の便宜のため好適な実施形態のみを示すが、勿論、これによって本発明を限定しようとするものではない。
【００１２】
図１に、本発明の一実施形態による組立体１の斜視図を、図２に、その分解斜視図を、それぞれ示す。組立体１は、第１部材１０と第２部材２０を含む。第１部材１０は、略平板状の基体１１と、断面略矩形状の挿入棒１２を含む。但し、基体１１や挿入棒１２の形状は、これらに限定されるものではない。
【００１３】
基体１１の一方の面１１ａは、作業台として又は作業台を設置するための設置面として使用することができる。本実施形態は、後者、即ち、設置面として使用する場合を示している。設置面１１ａには、例えば、コネクタ等の小道具が入った作業箱１９等を取り付けることができる。
【００１４】
挿入棒１２は、基体１１の一方の面１１ａとは反対側の他方の面１１ｂから基体１１から離れる方向「α１」に延出している。挿入棒１２の所定位置、例えば、延出端付近に、挿入棒１２が延出する方向「α１」に沿う方向「α」と交差する方向「β」に沿って穴１２ａが設けられている。この穴１２ａには、留め具１３を取り外し可能に取り付けることができる。留め具１３は、例えば螺子込み部１３ａのような被固定部と、螺子込み部１３ａを操作するための操作タブ１３ｂを含む。穴１２ａには、留め具１３の一部である螺子込み部１３ａが螺合される。但し、留め具１３の一部を挿入棒１２に取り外し可能に取り付けることができれば足り、螺子込み部を用いる必要はなく、また、穴を用いる必要もない。また、留め具１３を固定するための穴１２ａは、方向「α」に沿って複数設けられていてもよく、これによって、留め具１３を固定する位置を調整可能としてもよい。
【００１５】
第２部材２０は、挿入空間２８を有する略筒状の本体２１を含む。挿入空間２８には、図示矢印「α１」方向に沿って、挿入棒１２を挿入することができる。挿入空間２８の断面形状は、挿入棒１２のそれに対応して略矩形状とされている。挿入空間２８の断面形状は、挿入棒１２のそれに対応していれば足り、挿入棒１２と同様に、その形状は特に限定されない。
【００１６】
本体２１の外壁の一の面、例えば、前面２１ａに、延出方向「α１」に沿ってスリット２２が形成されている。スリット２２は、交差方向「β」において挿入空間２８と連通した状態で設けられている。留め具１３の螺子込み部１３ａは、このスリット２２を通じて、挿入空間２８に挿入された挿入棒１２、特に、挿入棒１２に設けた穴１２ａに外部からアクセス可能となっている。
【００１７】
スリット２２を通じて、螺子込み部１３ａを挿入棒１２の穴１２ａに螺子込むことにより、挿入棒１２は、本体２１の所定位置に、言い換えれば、組立体１の所定高さにおいて、本体２１に固定される。このとき、留め具１３の螺子込み部１３ａ以外の他の一部、例えば、操作タブ１３ｂは、未だ、本体２１の外壁に露出した状態にある。
【００１８】
本体２１の外壁の一の面、例えば、側面２１ｂに、外壁から突出した状態で、取付部２４が設けられている。取付部２４は、紐状体６、例えば、布製、ポリビニル製の紐、金属製の鎖等、ある程度の長さと強度を有した紐状の物体を取り付けるために設けられている。取付部２４の形状は特に限定されない。例えば、図示実施形態のように鉤状のもの（図示されていない）であってもよいし、単に側方に延びた棒状のものであってもよい。また、本体２１の外壁において、取付部２４をスリット２２を設けた面と同じ面に設けてもよいし、異なる面に設けてもよい。但し、方向「α」において、本体２１の上側２１Ａ、言い換えれば、挿入棒１２の挿入側に設ける必要がある。
【００１９】
取付部２４には、紐状体６の一端６ａを取り付ける。一方、その他端６ｂは、第１部材１０の留め具１３、更に言えば、操作タブ１３ｂに取り付ける。このように、紐状体６を利用して、第２部材２０の一部である取付部２４と、第１部材１０の一部である留め具１３とを接続することにより、第１部材１０が第２部材２０から所定の距離以上離れないように、言い換えれば、第１部材１０が、第２部材２０に対して、「α１」方向に移動してしまうことを防止することができる。上に説明したように、挿入棒１２は、留め具１３の螺子込み部１３ａをスリット２２を通じて挿入棒１２の穴１２ａに螺子込むことによって、本体２１の所定位置に、更に言えば、組立体１の所定高さにおいて、本体２１に固定されているが、例えば、設置面１１ａに想定外の大きな荷重が加わった場合には、留め具１３だけでは、挿入棒１２を本体２１の所定位置に留めておくことができない。この結果、挿入棒１２、更に言えば、第１部材１０が、第２部材２０に対して、下方に落下してしまう危険がある。紐状体６の一端６ａを、第２部材２０の取付部２４に取り付け、その固定他端６ｂを、第１部材１０の留め具１３の操作タブ１３ｂに取り付けることにより、このような落下事故を効果的に防止することができる。ここで、紐状体６の他端６ｂを取り付ける留め具１３の操作タブ１３ｂは、スリット２２を通じて外部に露出しているから、方向「α」において、スリット２２の上端２２ａ、言い換えれば、挿入棒１２の挿入側２１Ａにおけるスリットの一端２２ａと略同じ位置か、又は、該一端２２ａよりも挿入棒１２の挿入側に近い位置に設けられているのが好ましい。これにより、第１部材１０の第２部材２０に対する落下をより確実に防止することができる。尚、この場合、紐状体６は、一端６ａを取付けた取付部２４から延ばした状態で、操作タブ１３ｂに取付けるのに十分な長さを有するものとする。
【００２０】
組立体１の取付け対象への取付けを容易にするため、本体２１の外壁の一の面、例えば、背面２１ｃに、仮止部２６を設けてもよい。仮止部２６は、方向「α」において、本体２１の下側２１Ｂ、言い換えれば、挿入棒１２の挿入側２１Ａとは反対側２１Ｂに設けられている。仮止部２６を設けることにより、取付け対象に組立体１を取り付ける際に、回動操作を利用することができ、また、取付け後において、組立体１を、その下側（２１Ｂ）において安定させることができる。
【００２１】
更に、仮止部２６に加えて、他の仮止部２７を設けてもよい。仮止部２７は、仮止部２６と異なり、方向「α」において、本体２１の上側２１Ａ、言い換えれば、挿入棒１２の挿入側２１Ａに設けられている。仮止部２７を設けることにより、取付け対象に組立体１を取り付けたときに、組立体１を、その上側（２１Ａ）においても安定させることができる。
【００２２】
組立体１の使用方法、更に言えば、紐状体６を用いることによる、第１部材１０の第２部材２０に対する落下防止機構を説明する。一例として、ここでは仮止部２６、２７の双方を用いた使用方法を説明するが、以下の説明から明らかなように、仮止部２７は必ずしも必要ではない。また、仮止部２６を設ける代わりに、例えば、本体２１の下側２１Ｂに底板を設ける等して、組立体１を自立可能としてもよい。
【００２３】
図３に、組立体１を取り付けることができる取付け対象の一例を示す。ここでの取付け対象は、図３に示す枠体４、更に詳細には、例えば、作業車両の後部に取り付けられるゴンドラ等を構成する枠体４であって、このような枠体４を構成する要素のうち、特に、並行に延びる２本の枠体要素、例えば、枠体要素４１、４２や、枠体要素４３、４４である。枠体４には、作業者が作業を行うことができ作業空間４０が設けられており、作業者は、例えば、枠体要素４１、４２に取り付けた組立体１を利用して作業の効率化を図ることができる。
【００２４】
図４乃至図７を参照して、組立体１の使用方法を説明する。これらの図は、組立体１とともに図３に示した枠体４の部分拡大図を示したものである。尚、これらの図に示す組立体１において、第１部材１０は、第２部材２０に対して、留め具１３を用いて既に固定されているものとする。
【００２５】
先ず、図４に示すように、組立体１を傾斜させた状態で、組立体１の仮止部２６を枠体要素４１（被回動部材）に軸支する。この状態で、組立体１（本体２１）を、図示矢印「Ｋ」方向に、言い換えれば、枠体要素４２（被取付け部材）に向かって、仮止部２６を中心として回動させる。
【００２６】
この結果、図５に示すように、組立体１は、被取付け部材である枠体要素４２に衝突して略直立状態となる。直立状態とした後、紐状体６の他端６ｂ、即ち、自由端側を、枠体要素４２に巻き付け、更に、取付部２４に巻き付ける。
【００２７】
次いで、図６に示すように、取付部２４に巻き付けた紐状体６の自由端側を、取付部２４から操作タブ１３ｂに巻き付け、図７に示すように、再び、取付部２４に巻き付ける。  
【００２８】
このように、紐状体６を用いて、留め具１３による第１部材１０の第２部材２０に対する固定を補強し、第１部材１０が、第２部材２０に対して、下方に落下してしまう危険を効果的に防止することができる。この場合、紐状体６は、一端６ａを取付けた取付部２４から延ばした状態で、操作タブ１３ｂに取付けるのに十分な長さを当然に有しているものとする。
【００２９】
尚、特に図示しないが、仮止部２７を用いる場合には、組立体１を図４に示しているような傾斜状態とせずに、当初から図５等に示すような直立状態で、仮止部２６を枠体要素４１に、且つ、仮止部２７を枠体要素４２に、それぞれ仮止めするものとする。
【００３０】
本発明は、上述した実施の形態に限定されるわけではなく、その他種々の変更が可能である。
例えば、紐状体６は、留め具１３による第１部材１０の第２部材２０に対する固定を補強するように、第１部材１０が、第２部材２０に対して、下方に落下してしまう危険を防止することができるように設けられていれば足りる。従って、紐状体６の他端６ｂは、必ずしも枠体要素４２に取り付ける必要はない。また、紐状体６は、取付部２４に巻き付けることによって、第１部材１０と第２部材２０を固定した後に、枠体要素４２に取付けてもよい。
また、取付部２４を、係止部２７に設けてもよい。即ち、取付部２４と係止部２７を一体として形成してもよい。
【００３１】
以上の説明は、好ましい実施形態に関するものであり、物品を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品及び方法の精神から逸脱することなく行うことができる。
【符号の説明】
【００３２】
１  組立体
４  枠体
６  紐状体
１０  第１部材
１１  基体
１２  挿入棒
１２ａ  穴
１３  留め具
１３ａ  螺子込み部（留め具の一部）
１３ｂ  操作タブ（留め具の他の一部）
２０  第２部材
２１  本体
２１Ａ  挿入側（上側）
２１Ｂ  反対側（下側）
２２  スリット
２４  取付部
２６  仮止部
２７  仮止部
２８  挿入空間
４１〜４４  枠体要素
【図１】
2020110889.tif 000003
【図２】
2020110889.tif 000004
【図３】
2020110889.tif 000005
【図４】
2020110889.tif 000006
【図５】
2020110889.tif 000007
【図６】
2020110889.tif 000008
【図７】
2020110889.tif 000009